Podtech/llm-jp-corpus-v4-ja_patent huggingface dataset:
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
アニオン交換及びカチオン交換クロマトグラフィー性能を有するマルチモードクロマトグラフィー媒体であって、
外部表面と、該外部表面の開口に及ぶ内部細孔を画成する内部壁とを有する多孔質固体担体と、
前記内部壁に共有結合し、正又は負の第一電荷を有する第一イオン交換基を含む有機リガンドと、
第二電荷を有する第二イオン交換基を含み、該第二電荷が前記第一電荷と反対の電荷であり、前記内部細孔への液体流入を可能にするように前記担体の外部表面に直接又は間接的に結合する微粒子と
を含み、
前記微粒子が第一の平均直径を有し、前記内部細孔が第二の平均直径を有し、前記微粒子の第一平均直径が前記内部細孔の第二平均直径よりも大きく、実質的に前記微粒子が前記内部細孔内に侵入するのを防止しており、前記媒体が、アニオン交換及びカチオン交換クロマトグラフィー性能を有し、前記担体が、シリカ、アルミナ、チタニア、ジルコニア、合成ポリマー及びそれらの組み合わせから選択される材料を含み、前記担体が、(a)フロースルーモノリス及び(b)粒子であって多数の担体粒子が充填床中に配置される粒子から選択される、前記媒体。
【請求項２】
前記リガンドが、−Ｚ−ＯＨ、−（Ｚ）nＮ（Ｒ6）（Ｒ7）、−（Ｚ）nＮ+（Ｒ6）（Ｒ7）（Ｒ8）Ｘ-、−（Ｚ）nＣ（Ｏ）ＯＲ9、−（Ｚ）nＳ（Ｏ）2ＯＲ9、−（Ｚ）nＯＰ（Ｏ）（ＯＲ10）（ＯＲ11）及び−（Ｚ）nＢ（ＯＲ10）（ＯＲ11）（ＯＲ12）から選択される要素である基
（式中、ｎは０及び１から選択される整数であり、
Ｒ6、Ｒ7及びＲ8はＨ、置換又は非置換アルキル、置換又は非置換ヘテロアルキル、置換又は非置換アリール、置換又は非置換ヘテロアリール、置換又は非置換シクロアルキル及び置換又は非置換ヘテロシクロアルキルから独立して選択される要素であり、
Ｒ9はＨ、単一負電荷及びカチオン性対イオンから選択される要素であり、
Ｒ10及びＲ11はＨ、単一負電荷、カチオン性対イオン、置換又は非置換アルキル、置換又は非置換ヘテロアルキル、置換又は非置換アリール、置換又は非置換ヘテロアリール、置換又は非置換シクロアルキル及び置換又は非置換ヘテロシクロアルキルから独立して選択される要素であり、
Ｘ-は存在するか又は存在しないかのどちらかであり、存在する場合にはアニオン性対イオンであり、
Ｚは置換又は非置換アリール及び置換又は非置換ヘテロアリールから選択される要素である）
を含む、請求項１に記載の媒体。
【請求項３】
前記媒体が、アニオン交換、カチオン交換及び逆相クロマトグラフィー性能を有し、前記リガンドが、連続する少なくとも８つの炭素原子を有するアルキル鎖を含み、前記アルキル鎖が、前記媒体に逆相クロマトグラフィー性能を提供する、請求項１に記載のクロマトグラフィー媒体。
【請求項４】
前記連続する炭素原子のうちの少なくとも２つが、置換又は非置換アリール、置換又は非置換ヘテロアリール及び置換又は非置換シクロアルキルから選択される環の部分である、請求項３に記載の媒体。
【請求項５】
前記第一平均直径対前記第二平均直径の比が少なくとも１．２：１である、請求項１に記載の媒体。
【請求項６】
前記微粒子が前記外部表面に静電力、共有結合及び永久物理的絡み合いから選択される要素によって結合する、請求項１に記載の媒体。
【請求項７】
請求項１に記載の粒子状の媒体を含む分離媒体で充填したクロマトグラフィーカラム。
【請求項８】
前記固体担体及び有機リガンドが一緒になって、
【化１】
2011523041.tif 000001
及び
【化２】
2011523041.tif 000002
から選択される式の構造を有する、請求項１に記載の媒体。
【請求項９】
前記固体担体及び有機リガンドが一緒になって、式２７で表される構造を有する場合、前記微粒子がスルホン化ラテックスであり、また前記固体担体及び有機リガンドが一緒になって、式３２で表される構造を有する場合、前記微粒子がアミン化ラテックスである、請求項８に記載の媒体。
【請求項１０】
前記微粒子が、アミン化ラテックス及びスルホン化ラテックスから選択される、請求項１に記載の媒体。
【請求項１１】
（ａ）外部表面と、該外部表面の開口に及ぶ内部細孔を画成する内部壁とを有する多孔質固体担体を提供する工程と、
（ｂ）正又は負の第一電荷を有する第一イオン交換基を含むリガンドを前記内部壁に共有結合させる工程と、
（ｃ）第二電荷を有する第二イオン交換基を含み、前記第二電荷が前記第一イオン交換基の第一電荷と反対電荷である微粒子を前記担体の前記外部表面に直接又は間接的に結合する工程と
を含み、前記微粒子が第一の平均直径を有し、前記内部細孔が第二の平均直径を有し、前記微粒子の第一平均直径が前記内部細孔の第二平均直径よりも大きく、実質的に前記微粒子が前記内部細孔内に侵入するのを阻止していることを特徴とする、請求項１〜１０のいずれか１項に記載の、液体試料中の分析物の分離用媒体を製造する方法。
【請求項１２】
前記リガンドが、−Ｚ−ＯＨ、−（Ｚ）nＮ（Ｒ6）（Ｒ7）、−（Ｚ）nＮ+（Ｒ6）（Ｒ7）（Ｒ8）Ｘ-、−（Ｚ）nＣ（Ｏ）ＯＲ9、−（Ｚ）nＳ（Ｏ）2ＯＲ9、−（Ｚ）nＯＰ（Ｏ）（ＯＲ10）（ＯＲ11）及び−（Ｚ）nＢ（ＯＲ10）（ＯＲ11）（ＯＲ12）から選択される要素である基
（式中、ｎは０及び１から選択される整数であり、
Ｒ6、Ｒ7及びＲ8はＨ、置換又は非置換アルキル、置換又は非置換ヘテロアルキル、置換又は非置換アリール、置換又は非置換ヘテロアリール、置換又は非置換シクロアルキル及び置換又は非置換ヘテロシクロアルキルから独立して選択される要素であり、
Ｒ9はＨ、単一負電荷及びカチオン性対イオンから選択される要素であり、
Ｒ10及びＲ11はＨ、単一負電荷、カチオン性対イオン、置換又は非置換アルキル、置換又は非置換ヘテロアルキル、置換又は非置換アリール、置換又は非置換ヘテロアリール、置換又は非置換シクロアルキル及び置換又は非置換ヘテロシクロアルキルから独立して選択される要素であり、
Ｘ-は存在するか又は存在しないかのどちらかであり、存在する場合にはアニオン性対イオンであり、
Ｚは置換又は非置換アリール及び置換又は非置換ヘテロアリールから選択される要素である）
を含む、請求項１１に記載の方法。
【請求項１３】
前記第一平均直径対前記第二平均直径の比が少なくとも１．２：１である、請求項１１又は１２に記載の方法。
【請求項１４】
液体を請求項１に記載の媒体を含む分離媒体の床に流入する工程を含むクロマトグラフィー方法。
【請求項１５】
前記液体が、前記分離媒体によって各々実質的に保持されるアニオン、カチオン及び無荷電の分子を含む、請求項１４に記載のクロマトグラフィー方法。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
青色スペクトル領域におけるカロテノイドの吸収帯と重なる光で組織の局所領域を照射するステップと、
赤色スペクトル領域におけるカロテノイドの吸収帯の外側の光で同じ領域を照射するステップと、
前記局所領域中の血液発色団のレベルを低減させるように、所定時間、前記局所領域に圧力を加えるステップと、
青色及び赤色波長領域における加圧後に残余している全発色団による吸光度を測定するために反射分光法を使用するステップと、
前記青色及び前記赤色波長領域における吸光度間の相違として前記局所領域におけるカロテノイドレベルを測定するステップを含む、生物組織中のカロテノイドレベルを非侵襲的に測定する方法。
【請求項２】
前記圧力は、前記組織の局所領域に約５〜２０秒間加えられる請求項１に記載の方法。
【請求項３】
前記カロテノイドレベルは、４８０ｎｍ又は約４８０ｎｍにおける全吸光度と、前記局所領域に圧力を加える間に残余している発色団全てによるバックグラウンド吸光度との間の差として選択される請求項１に記載の方法。
【請求項４】
前記局所領域への血流を制限するステップを更に含む請求項１に記載の方法。
【請求項５】
カロテノイドの吸収帯に重なる光で局所領域を照射するステップ、及び、カロテノイドの吸収帯の外側の光で同じ領域を同時に照射するステップが、約３５０〜９００ｎｍのスペクトル範囲に実質的にわたる白色光で局所領域を照射することを含む請求項１に記載の方法。
【請求項６】
カロテノイドの吸収帯に重なる光、及びカロテノイドの吸収帯の外側の光は別々の光源に由来し、一方が４８０ｎｍ又は約４８０ｎｍ、他方が６２０ｎｍ又は約６２０ｎｍである請求項１に記載の方法。
【請求項７】
バックグラウンド信号強度を提供する暗スペクトルＤ（λ）を記録するステップと、
反射標準を測定して保存するステップとを更に含み、
前記局所領域における前記カロテノイドに関連する反射スペクトルは下記式
【数１】
2011523059.tif 000001
により計算され、ここで、Ｒ（λ）は正規化反射スペクトルであり、Ｔ（λ）、Ｓ（λ）及びＤ（λ）は、それぞれ、波長λで測定した前記組織からの信号、及び反射標準からの信号であり、Ｄ（λ）は、暗スペクトル強度による任意の波長λにおける任意の信号である請求項１に記載の方法。
【請求項８】
反射スペクトルにおける各スペクトルデータ点について下記関係式
【数２】
2011523059.tif 000002
に従って、十進数対数をとることによって、正規化反射スペクトルＲ（λ）を「見掛けの」光学濃度スペクトルＡ（λ）に変換するステップを更に含む請求項１に記載の方法。
【請求項９】
前記カロテノイドレベルを、正常な生物組織と比較して、悪性疾患又は他の病状のリスク又は存在を評価するステップを更に含む請求項１に記載の方法。
【請求項１０】
前記組織は、ヒト皮膚である請求項１に記載の方法。
【請求項１１】
前記皮膚は、指先又は手の他の部分の皮膚である請求項１０に記載の方法。
【請求項１２】
赤色及び青色スペクトル領域におけるカロテノイドの吸収帯と重なる光で組織の局所領域を照射する光源と、
前記局所領域における血液発色団のレベルを低減させるように、所定期間、前記局所領域に圧力を加える装置と、
青色及び赤色波長領域における吸収間の相違として加圧領域におけるカロテノイドレベルを測定する反射分光器とを備える生物組織中のカロテノイドレベルを非侵襲的に測定するシステム。
【請求項１３】
前記圧力は、前記組織に約５〜２０秒間加えられる請求項１２に記載のシステム。
【請求項１４】
前記圧力を加える装置は、光及び反射スペクトルが通過する光透過性部材である請求項１２に記載のシステム。
【請求項１５】
前記圧力を加える装置は、光及び反射スペクトルが通過するレンズである請求項１２に記載のシステム。
【請求項１６】
前記局所領域への血流を制限するカフ又は他の装置を更に備える請求項１２に記載のシステム。
【請求項１７】
前記光源は、約３５０〜９００ｎｍのスペクトル範囲に実質的にわたる単一白色光源である請求項１２に記載のシステム。
【請求項１８】
前記光源は、一方が４８０ｎｍ又は約４８０ｎｍ、他方が６２０ｎｍ又は約６２０ｎｍである別々の光源を備える請求項１２に記載のシステム。
【請求項１９】
前記局所領域に所定期間前記圧力を加える装置がプローブ体に含まれており、
前記光源からの光は、第１の光ファイバーを介して前記プローブまで送られ、
反射スペクトルは、第２の光ファイバーを介して前記プローブ体から前記分光器まで運ばれる請求項１２に記載のシステム。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
健康データの測定に関する情報を表示する表示装置、及び健康データに関する情報をユーザーから受け取るための一式のソフトキーを含む入力機器を含み、ユーザーに、一式のソフトキーの次に表示された階層メニューから、ユーザーが選択可能な選択肢の一式の形式で、情報を入力させるためのソフトキーを押させるように動作可能であるユーザー・インターフェース，及び
コントロール液の試験結果が、コントロールマーカーを含まないコントロール液ではない体液試料の試験から識別可能で、かつコントロール液の試験結果が、ユーザー・インターフェース経由でユーザーに表示される健康データの測定に関する情報の中に含まれず、コントロールマーカーを含むコントロール液の試験結果を、アイコン又はラベルを伴い、表示装置上に表示する目的に適合した自動コントロールマーキング機能
を含む体液試料中の検体を試験するための試験システム。
【請求項２】
コントロール液中におけるコントロールマーカーの存在に起因して、コントロール試験として、コントロール液の試験結果を識別するために、比較的高い電位と、比較的低い電位を供給し、
前記コントロールマーカーは、ヨウ化ナトリウム、トリエタノールアミン、トリプロパノールアミン、トリブタノールアミン、２，５−ジヒドロキシ安息香酸、キシレノール・オレンジ、ヒドロキノンスルホン酸、又はクレゾール・レッド（Ｃ２１Ｈ１７ＮａＯ５Ｓ）を含む群から選択される
ことを含む請求項１に記載の試験システム。
【請求項３】
検体測定に用いられる比較的低い電位より高い電位にて、コントロールマーカーに比較的高い電位を適用することにより、コントロールマーカーを酸化する
ことを含む請求項２に記載の試験システム。
【請求項４】
ユーザー・インターフェースは、コントロール液の試験結果と、コントロール試験結果の日付及び時刻を表示する
請求項１に記載の試験システム。
【請求項５】
一式のソフトキーは、３個のソフトキーを含む
請求項１に記載の試験システム。
【請求項６】
ユーザー・インターフェースは、目標範囲に関する情報を与える
請求項１に記載の試験システム。
【請求項７】
目標範囲は、食前の目標範囲及び食後の目標範囲を含む
請求項６に記載の試験システム。
【請求項８】
ユーザー・インターフェースは、目標範囲の中に収まる測定値の数、目標範囲の上に分類される測定値の数、及び目標範囲の下に分類される測定値の数の情報を含む
請求項６に記載の試験システム。
【請求項９】
ユーザー・インターフェースは、注釈を追加することができる
請求項１に記載の試験システム。
【請求項１０】
検体のデータの測定に関する情報を表示する表示装置、及びユーザーから指示を受け取るために相互動作が可能に適用された３個一式のソフトキーを含む入力機器とを含み、ユーザーに、３個のソフトキーの次に表示された階層メニューから、ユーザーが選択可能な選択肢の３個一式の形式で情報又は指示を入力させるための３個のソフトキーの１個を押させるように動作可能であるユーザー・インターフェース、及び、
コントロール液の試験結果が、体液試料の試験から識別可能で、かつコントロール液の試験結果が、ユーザー・インターフェース経由でユーザーに表示される検体データの測定に関する情報の中に含まれず、コントロールマーカーを含むコントロール液の試験結果を、アイコン又は制御ラベルを伴い、表示装置上に表示する目的に適合した自動コントロールマーキング機能
を含む体液試料中の検体を試験するための試験システム。
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
材料のウェブを監視するために使用されるウェブ検査システムのための較正システムであって、
前記材料のウェブの第１のクロスウェブ部分の第１の特性を示す信号を受信し、測定の較正単位で前記第１の特性を表す第１の応答信号を提供するように構成される、少なくとも１つのウェブセンサであって、前記第１のクロスウェブ部分が、前記材料のウェブの幅未満である、ウェブセンサと、
前記材料のウェブの前記第１のクロスウェブ部分及び少なくとも第２のクロスウェブ部分の前記第１の特性を示す信号を受信し、それぞれ、前記第１のクロスウェブ部分及び前記第２のクロスウェブ部分の前記第１の特性を表す、第２及び第３の応答信号を提供するように構成される、前記ウェブ検査システムと、
第１の較正モデルを前記第２の応答信号に適用して、前記第２の応答信号を前記第１の応答信号の測定単位に変換するために、前記第１の応答信号及び前記第２の応答信号を分析する、センサ−検査システム（sensor to inspection system）較正モジュールと、
を備える、較正システム。
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
ボイラーと、及び
ゼオライト系ＳＣＲ触媒とを備えてなり、
前記ボイラーが前記触媒の上流に存在してなり、
前記触媒が、
（ａ）銅、クロム、コバルト、ニッケル、マンガン、鉄、ニオブ、ガリウム、カドミウム及びこれらの混合物からなる群から選択された第一成分と、
（ｂ）セリウム、ランタニド、ランタニドとの混合物、及びこれらの混合物からなる群から選択された第二成分と、
（ｃ）ゼオライトと、及び
（ｄ）酸素貯蔵物質とを含んでなる、反応炉システム。
【請求項２】
前記ボイラーの下流に、一つ以上の還元剤を導入するための、一つ以上の注入口を更に備えてなり、
前記還元剤が、アンモニア及び／又は一つ以上の炭化水素を含んでなる、請求項１に記載された反応炉システム。
【請求項３】
前記触媒が、
１重量％〜２０重量％の第一成分と、
２重量％〜３５重量％の第二成分と、
１０重量％〜９０重量％のゼオライトと、及び
１０重量％〜９０重量％の酸素貯蔵物質を含んでなり、
前記第一成分及び前記第二成分の重量％が前記金属に基づいて定められてなる、請求項１に記載された反応炉システム。
【請求項４】
前記ゼオライトが、ＺＳＭ−５、ＺＳＭ−１１、ＺＳＭ−１２、ＺＳＭ−１８、ＺＳＭ−２３、ＭＣＭ−ゼオライト、モルデナイト、フォージャサイト、フェリエライト、ゼオライトベータ及びこれらの混合物からなる群から選択されてなる、請求項１に記載された反応炉システム。
【請求項５】
前記ゼオライトが、アルミナに対するシリカのモル比が約１〜約１００である、請求項１に記載された反応炉システム。
【請求項６】
前記酸素貯蔵物質が、Ｃｅ１−ａＺｒａＯ２及びＣｅ１−ｃ−ｄＺｒｃＬａｎｄＯ２からなる群から選択されてなり、
Ｌａｎが、Ｙ、Ｌａ、Ｐｒ、Ｎｄ、Ｓｍ、Ｅｕ、Ｇｄ、Ｈｏ、Ｙｂ及びこれらの混合物からなる群から選択されてなる、請求項１に記載された反応炉システム。
【請求項７】
無機酸化物を更に含んでなる、請求項１に記載された反応炉システム。
【請求項８】
前記第一成分が銅及びマンガンの組合せであり、
前記第二成分がセリウムであり、
前記ゼオライトがＺＳＭ−５であり、及び
前記酸素貯蔵物質がＣｅＺｒＮｄＰｒ酸化物である、請求項１に記載された反応炉システム。
【請求項９】
前記触媒が押し出し形成されたものを含んでなる、請求項１に記載された反応炉システム。
【請求項１０】
前記触媒が被覆された触媒を含んでなる、請求項１に記載された反応炉システム。
【請求項１１】
前記無機酸化物が、アルミナ、シリカ、チタニア、ジルコニア、及びシリカ−アルミナ溶液、これらの合成物及び混合物からなる群から選択されてなるものである、請求項７に記載された反応炉システム。
【請求項１２】
前記第一成分がマンガン及び銅から選択されてなる、請求項１に記載された反応炉システム。
【請求項１３】
前記第一成分がマンガン及び銅から選択されてなり、
前記第二成分がセリウムであり、及び
前記ゼオライトがＺＳＭ−５である、請求項１に記載された方法。
【手続補正書】
【提出日】平成24年5月11日(2012.5.11)
【手続補正１】
【補正対象書類名】明細書
【補正対象項目名】００１９
【補正方法】変更
【補正の内容】
【００１９】
図１において、参照符号１は物体を示し、参照符号１．１は皿穴の形態を成すテーパ面を示している。この種の皿穴は、例えば、燃焼機関分野において、特に弁座に関して、流体デバイスにおいて、医療分野、または、他のデバイスにおいて適用される。開口を伴う或いは伴わないそのような皿穴の効率を確保するためには、特に皿穴のパラメータが非常に正確に定められなければならない。そのようなパラメータを測定するために、図１に示される測定方法が従来技術において知られている。この測定方法では、マスターゲージが中空部内に配置される。この測定方法によれば、そのような基準ゲージは、実質的に、例えば図１に簡略的に示されるように球であってもよく、あるいは、任意の他の形状を有することができる。マスターゲージが皿穴１．１内に配置された後、支持部５のベースから突き出るマスターゲージの長さＥを決定することができる。長さＥの測定に基づいて、例えば皿穴の深さを示す長さＸが所定の公差範囲内にあるかどうかを検証することができる。例えば球上及び／又は皿上の汚染物質が不正確な測定結果を与えることは明らかである。
【手続補正２】
【補正対象書類名】特許請求の範囲
【補正対象項目名】全文
【補正方法】変更
【補正の内容】
【特許請求の範囲】
【請求項１】
物体（１）のベース面（５）からテーパ面（１．１）の所定の直径（Ａ）を有する断面までの距離を測定するための方法であって、前記テーパ面が仰角または俯角を形成するとともに円形断面形状を有する方法において、
前記物体（１）の直径（Ａ）を有する前記断面との間に隙間（６，Ｘ）の形態で距離が形成されるように直径（Ａ）を有する測定体（３）が前記ベース面（５）上に配置され、前記隙間（６，Ｘ）を通じて流体媒質が押し進められ、前記流体媒質の圧力及び／又は流量が測定され、測定された圧力及び／又は流量に基づいて評価ユニット（９）で距離値が決定されることを特徴とする方法。
【請求項２】
前記流体媒質が圧力測定ユニット（７）により前記隙間（６）を通じて押し進められ、この流体媒質の圧力が測定されて、前記評価ユニット（９）で距離値が決定される、請求項１に記載の方法。
【請求項３】
前記隙間（６）を通じて押し進められる流体媒質の流量が流量測定ユニットによって測定されて、前記評価ユニット（９）で距離値が決定される、請求項１に記載の方法。
【請求項４】
前記圧力測定ユニット（７）により空気が前記隙間（６）を通じて運ばれる、請求項２に記載の方法。
【請求項５】
決定された距離値は、対応するマスターゲージによって規定される最小距離値および最大距離値と比較される、請求項１から請求項４のいずれか一項に記載の方法。
【請求項６】
マッピングプロセスでは前記、評価ユニット（９）において、非線形空気圧測定における偏りが補正されて蓄積される、請求項１から請求項４のいずれか一項に記載の方法。
【請求項７】
物体のベース面（５）から前記物体のテーパ面（１．１）の所定の直径（Ａ）を有する断面までの距離を測定するための測定システムであって、前記テーパ面が前記ベース面（５）に対して仰角または俯角を形成するとともに円形断面形状を有する測定システムにおいて、
直径（Ａ）を有し、前記所定の直径（Ａ）を有する前記物体の断面との間に隙間（６，Ｘ）の形態で距離が形成されるように前記ベース面（５）に対して配置される測定体（３）と、
前記隙間（６，Ｘ）を介して運ばれる流体の圧力及び／又は流量を測定するための測定ユニット（７）と、
測定された前記圧力及び／又は流量に基づいて、測定されるべき前記距離の値を決定する評価ユニット（９）と
を含む測定システム。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
生物学的材料を分析するためのマイクロプレートアセンブリであって、
該マイクロプレートアセンブリが、
生物学的粒子を保持するためのウェルを備えるマイクロプレートと、
該マイクロプレートを保持するためのマイクロプレートホルダと
を備え、
該マイクロプレートホルダが、
底壁と、
該底壁の第１の端部に配置された第１の端壁と、
該底壁の第２の端部に配置された第２の端壁と、
該第１の端壁の内面に配置された少なくとも１つの第１の戻り止めと、
該第２の端壁の内面に配置された少なくとも１つの第２の戻り止めと
を備え、
該少なくとも１つの第１の戻り止めおよび該少なくとも１つの第２の戻り止めが、該マイクロプレートに係合しかつ該マイクロプレートを該マイクロプレートホルダ内に固定するように配置される、
マイクロプレートアセンブリ。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
少なくとも２つの波長において監視対象の空間を照射するように構成された少なくとも１つの光源と、
視野を有し、少なくとも１つの光源からの光を監視対象の空間を横切った後で受信するように構成され、視野内の複数の領域において受信された光の強度を表わす信号を生成するように構成された受信機と、
受信機と接続され、受信機によって生成された信号を処理し、受信機の視野内の対応する領域において少なくとも２つの波長にて受信された光を相関付けて、２つの波長における受信された光の相対レベルを表わす出力を生成するように構成されたプロセッサと、を備える粒子検出システム。
【請求項２】
受信機は、複数のセンサ素子を有するセンサを備え、各センサ素子が、受信機の視野内の個々の領域からの光を受信する請求項１に記載の粒子検出システム。
【請求項３】
光源が、個々の波長において光を放射するように構成された１つ以上の発光体を含むことができる請求項１または２に記載の粒子検出システム。
【請求項４】
光源が、異なる時点において、該少なくとも２つの波長の各々にて監視対象の空間を照射するように構成されている請求項１〜３のいずれかに記載の粒子検出システム。
【請求項５】
プロセッサは、受信機の視野内の同じ領域において受信された一対以上の波長における受信光の相対的掩蔽を決定し、該相対的掩蔽に基づいて監視対象の空間の粒子の存在を表わす出力を生成するように構成されている請求項１〜４のいずれかに記載の粒子検出システム。
【請求項６】
監視対象空間内の対象の粒子を検出するように構成された、請求項１〜５のいずれかに記載の粒子検出器であって、
少なくとも２つの波長は、対象の粒子による影響を比較的受けない少なくとも第１の波長と、少なくとも該粒子によって影響される少なくとも第２の波長とを含み、
第１および第２の波長の少なくとも一方における受信機の出力を処理し、前記監視対象領域に対象の粒子が検出されるか否かを表わす出力を提供するように構成されたプロセッサと、を備える粒子検出器。
【請求項７】
プロセッサは、一方または両方の波長における受信光レベルに基づいて決定される第２の警報条件を適用するように構成されている請求項１〜６のいずれかに記載の粒子検出システム。
【請求項８】
第２の警報条件は、光の相対強度の変化が第１の警報条件を満足させない前提条件に基づいている請求項７に記載の粒子検出システム。
【請求項９】
光源は、電池で駆動される請求項１〜８のいずれかに記載の粒子検出システム。
【請求項１０】
互いに同期していない少なくとも２つの光源を備える請求項１〜９のいずれかに記載の粒子検出システム。
【請求項１１】
受信機は、複数の画素を備えたセンサを有するカメラを含み、
個々の光源に対応した受信機の領域は、該センサの複数の画素の部分集合を含む１〜１０のいずれかに記載の粒子検出システム。
【請求項１２】
粒子検出器における方法であって、
第１および第２の波長を含む光であって、第１の波長は監視対象領域を横切る透過が対象の粒子の影響を比較的受けない波長であり、第２の波長は監視対象領域を横切る透過が対象の粒子によって影響を受ける波長である光を、監視対象領域に放射するステップと、
監視対象領域を横切った後の少なくとも第１および第２の波長の光を受信し、少なくとも第１および第２の波長の受信光の強度を表わす信号を生成するステップと、
少なくとも第１および第２の波長での受信光の強度を表わす信号を処理し、対象の粒子が前記監視対象領域において検出されたか否かを表わす出力を提供するステップと、を含む方法。
【請求項１３】
少なくとも第１および第２の波長での受信光の強度を表わす信号を処理するステップは、第１および第２の波長での受信光の相対強度の変化に基づいている請求項１２に記載の方法。
【請求項１４】
第１および第２の波長の受信光での相対強度が実質的に安定な状態であるが、１つ以上の波長の受信光の絶対強度が１つ以上の所定の基準を満たした場合、前記監視対象領域の対象の粒子の存在を示す出力を生成するステップ、を含む請求項１２または１３に記載の方法。
【請求項１５】
請求項１２〜１４のいずれかに記載の粒子検出システムにおける方法であって、
少なくとも１つの光源が受信機を照射するように、光源および受信機の少なくとも１つを近似的に整列させるステップと、
光源に対応する受信光強度測定値を決定するために使用される光源に対応する、受信機の視野内の空間位置を選択するステップと、を含む方法。
【請求項１６】
システムの幾何配置が変化するときに、光源に対応する領域を時間とともに追跡するステップ、を含む請求項１５に記載の方法。
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
分析装置であって、
第１の基板と、
第２の基板と、
当該分析装置の外側の環境と流体連通する第１の相互接続チャネルを配置するための、前記第１の基板、前記第２の基板、又はその両方の少なくとも一部を介して伸長した第１の入口ポートと、
約１０，０００ｎｍ未満の範囲の断面寸法を有することを特徴とする少なくとも１つの第１のチャネルと、少なくとも２つの第２のチャネルとを含み、前記第１の相互接続チャネルをナノチャネル分析領域と流体連通させる第１のフロントエンド分岐チャネル領域と、
前記第１のチャネル断面寸法より小さい断面寸法を有することを特徴とする少なくとも１つのナノチャネルを含むナノチャネル分析領域であって、前記第１のチャネルの断面寸法の、前記ナノチャネルの断面寸法に対する比は、約１００〜約１０，０００であり、
前記第１のフロントエンド分岐チャネル領域は、前記第１のチャネルを前記少なくとも２つの第２のチャネルに分けるスプリッター構造を有するものである
分析装置。
【請求項２】
請求項１記載の分析装置において、前記第１の基板、前記第２の基板、又はその両方は、シリコン、ＳｉＧｅ、Ｇｅ、ストレインドシリコン（ｓｔｒａｉｎｅｄ  ｓｉｌｉｃｏ
ｎ）、ＧｅＳｂＴｅ、ＡｌＧａＡｓ、ＡｌＧａＩｎＰ、ＡｌＧａＮ、ＡｌＧａＰ、ＡｌＡｓＰ、ＧａＡｓ、ＧａＮ、ＧａＰ、ＩｎＡｌＡｓ、ＩｎＡｌＡｓ、ＩｎＡｌＰ、ＩｎＳｂ、ＧａＩｎＡｌＡｓ、ＧａＩｎＡＩＮ、ＧａＩｎＡｓＮ、ＧａＩｎＡｓＰ、ＧａＩｎＡｓ、ＧａＩｎＮ、ＧａＩｎＰ、ＧａＳｂ、ＩｎＮ、ＣｄＴｅ、セレン化亜鉛（ＺｎＳｅ）、ＨｇＣｄＴｅ、ＺｎＯ、ＺｎＴｅ、硫化亜鉛（ＺｎＳ)、アルミニウム、酸化アルミニウム、ステンレススチール、Ｋａｐｔｏｎ（登録商標）、金属セラミック、プラスチック、ポリマー、サファイア、炭化ケイ素、シリコン・オン・インシュレータ（ＳＯＩ）、ａｓｔｒｏｓｉｔａｌ、ホウ酸バリウム、フッ化バリウム、シレナイト（ｓｉｌｌｅｎｉｔｅ）結晶ＢＧＯ／ＢＳＯ／ＢＴＯ、ゲルマン酸ビスマス、方解石、フッ化カルシウム、ヨウ化セシウム、Ｆｅ：ＬｉＮｂＯ３、石英ガラス（ｆｕｓｅｄ  ｑｕａｒｔｚ）、石英、溶融石英（ｆｕｓｅｄ  ｓｉｌｉｃａ）、ＳｉＯ２、ガリウム、ガドニウムガーネット、リン酸二水素カリウム（ＫＤＰ）、ＫＲＳ−５、チタンリン酸カリウム、モリブデン酸鉛、フッ化リチウム、ヨウ化リチウム、ニオブ酸リチウム、タンタル酸リチウム、フッ化マグネシウム、臭化カリウム、二酸化チタニウム、塩化ナトリウム、二酸化テルリウム、セレン化亜鉛、スピンオンガラス、紫外線硬化材料、ソーダ石灰ガラス、上記化合物の水素化形態、上記化合物の化学両論的変形物（ｓｔｏｉｃｈｉｏｍｅｔｒｉｃ  ｖａｒｉａｔｉｏｎｓ）又はそれらのあらゆる組み合わせである、分析装置。
【請求項３】
請求項１記載の分析装置において、前記第１の相互接続チャネルは、約１００ｎｍ〜約１００ミクロンの範囲の深さ、約５００ｎｍ〜約１０００ミクロンの範囲の幅、又はその両方のいずれかを有するものである、分析装置。
【請求項４】
請求項１記載の分析装置において、前記第１のチャネルは、約１０ｎｍ〜約１０，０００ｎｍ、好ましくは約１００ｎｍ〜約１０００ｎｍの範囲の幅、又は約１０ｎｍ〜約１０００ｎｍ、好ましくは約５０ｎｍ〜約１００ｎｍの範囲の深さのいずれかを有するものである、分析装置。
【請求項５】
請求項１記載の分析装置において、前記スプリッター構造は、前記第１のチャネルの中心線に対して約０〜約９０°の範囲の角度の少なくとも１つの面を有するものである、分析装置。
【請求項６】
請求項１記載の分析装置において、前記第２のチャネルのそれぞれは、当該第２のチャネルの中心線に対して約０〜約９０°、好ましくは３０〜６０°の範囲の角度の少なくとも１つの面を有するスプリッターによって、２つの第３のチャネルに分かれるものである、分析装置。
【請求項７】
請求項１記載の分析装置において、前記スプリッター構造は、勾配によって前記第１のチャネルを通って進むｆｌｕｉｄｂｏｒｎｅ本体が、前記スプリッター構造から第２のチャネルのいずれかに入るように実質的に等分されているものである、分析装置。
【請求項８】
請求項１記載の分析装置において、前記少なくとも１つのナノチャネルは、少なくとも約３０°、好ましくは約９０°、より好ましくは約１８０°の少なくとも１つの屈曲部を有するものである、分析装置。
【請求項９】
請求項１記載の分析装置において、前記少なくとも１つのナノチャネルは、一定の幅、一定の深さ、又はその両方、或いは種々の幅、種々の深さ、又はその両方を有するものである、分析装置。
【請求項１０】
請求項１記載の分析装置において、前記ナノチャネル分析領域は、第１のバックエンド分岐チャネル領域と流体連通するものであり、好ましくは前記第１のバックエンド分岐チャネル領域は、２つのチャネルに分けられた少なくとも１つの第１のチャネルを有し、前記第２のチャネルのそれぞれは、前記第１のチャネルよりも小さな断面積を有するものである、分析装置。
【請求項１１】
請求項１記載の分析装置において、前記第１のフロントエンド分岐チャネル領域及び前記ナノチャネル分析領域は、同じ基板に配置されるものであり、又は２つの分離した基板に配置されるものであり、前記２つの分離した基板は共に結合し、且つ前記基板の間に配置された密閉管路をもたらすものである、分析装置。
【請求項１２】
分析装置を製造する方法であって、
第１の基板と第２の基板を結合する工程であって、前記基板の少なくとも１つは、約１０ｎｍ〜１０，０００ｎｍの範囲の幅を有するものであって、前記結合は前記基板の間に配置された密閉管路をもたらすものである、結合工程を有する
方法。
【請求項１３】
請求項１２記載の方法であって、この方法は、更に、前記第１の基板、第２の基板、又はその両方の少なくとも一部の上部に薄膜を配置する工程であって、前記薄膜は前記基板間の結合を強化するものである、前記配置する工程を有するものである、方法。
【請求項１４】
請求項１３記載の方法において、前記薄膜は、前記密閉管路内部の少なくとも一部を前記基板の少なくとも１つから電気的に隔離するものである、方法。
【請求項１５】
請求項１３記載の方法において、前記薄膜は、前記閉塞管路の断面積を一定値に減少させるように配置されるものである、方法。
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
第１印刷エンジンと第２印刷エンジンを同期させる方法であって、
１以上の第１枠マーカによって規定される画像形成枠を１個又は複数個担持する第１印刷エンジン内誘電担体を始動させるステップと、
１以上の第２枠マーカによって規定される画像形成枠を１個又は複数個担持する第２印刷エンジン内誘電担体を始動させるステップと、
稼働中の第１印刷エンジン内誘電担体の第１枠マーカで発生する第１枠信号を監視するステップと、
稼働中の第２印刷エンジン内誘電担体の第２枠マーカで発生する第２枠信号を監視するステップと、
第１印刷エンジン内誘電担体側に１個又は複数個ある画像形成枠と第２印刷エンジン内誘電担体側にある対応する画像形成枠との間のずれをその対毎に検出するステップと、
検出したずれを画像形成枠の対毎にその目標値と比較するステップと、
第１第２印刷エンジン間の画像形成枠単位同期が維持されるようずれの検出値目標値間比較結果に基づき第２印刷エンジン内誘電担体の速度を調整するステップと、
を有する方法。
【請求項２】
第１印刷エンジンと第２印刷エンジンを同期させる方法であって、
画像形成枠を複数個担持する第２印刷エンジン内誘電担体を始動させるステップと、
第２継ぎ目信号を監視することで第２印刷エンジン内誘電担体における継ぎ目の位置を特定するステップと、
第２印刷エンジン内誘電体の継ぎ目をその位置特定の結果に基づき少なくとも一通りの基準位置に位置決めするステップと、
画像形成枠を複数個担持する第１印刷エンジン内誘電担体を始動させるステップと、
第１継ぎ目信号を監視することで第１印刷エンジン内誘電担体における継ぎ目の位置を特定するステップと、
その位置が特定された継ぎ目を第１第２印刷エンジン内誘電担体間で同期させてそのずれを目標値に等しくするステップと、
稼働中の第１印刷エンジン内誘電担体で発生する第１枠信号を監視するステップと、
稼働中の第２印刷エンジン内誘電担体で発生する第２枠信号を監視するステップと、
第１印刷エンジン内誘電担体側に１個又は複数個ある画像形成枠と第２印刷エンジン内誘電担体側にある対応する画像形成枠との間のずれをその対毎に検出するステップと、
検出したずれを画像形成枠の対毎にその目標値と比較するステップと、
第１第２印刷エンジン間の画像形成枠単位同期が維持されるようずれの検出値目標値間比較結果に基づき第２印刷エンジン内誘電担体の速度を調整するステップと、
を有する方法。
【請求項３】
第１印刷エンジンを有する複製装置のスループットを向上させる方法であって、
第１印刷エンジンに縦続するよう、第１印刷エンジンとそれまで第１印刷エンジンに連結されていた仕上げ装置との間に第２印刷エンジンを挿入するステップと、
第１印刷エンジンからの第１継ぎ目信号及び第１枠信号が第２印刷エンジンを作動させるコントローラに伝わるよう接続するステップと、
画像形成枠を複数個担持する第２印刷エンジン内誘電担体を始動させるステップと、
第２継ぎ目信号を監視することで第２印刷エンジン内誘電担体における継ぎ目の位置を特定するステップと、
第２印刷エンジン内誘電体の継ぎ目をその位置特定の結果に基づき少なくとも一通りの基準位置に位置決めするステップと、
画像形成枠を複数個担持する第１印刷エンジン内誘電担体を始動させるステップと、
第１継ぎ目信号を監視することで第１印刷エンジン内誘電担体における継ぎ目の位置を特定するステップと、
その位置が特定された継ぎ目を第１第２印刷エンジン内誘電担体間で同期させてそのずれを目標値に等しくするステップと、
稼働中の第１印刷エンジン内誘電担体で発生する第１枠信号を監視するステップと、
稼働中の第２印刷エンジン内誘電担体で発生する第２枠信号を監視するステップと、
第１印刷エンジン内誘電担体側に１個又は複数個ある画像形成枠と第２印刷エンジン内誘電担体側にある対応する画像形成枠との間のずれをその対毎に検出するステップと、
検出したずれを画像形成枠の対毎にその目標値と比較するステップと、
第１第２印刷エンジン間の画像形成枠単位同期が維持されるようずれの検出値目標値間比較結果に基づき第２印刷エンジン内誘電担体の速度を調整するステップと、
を有する方法。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
複数の位置で導電性表面に形成された複数の変調されたスロットであって、前記位置が、オブジェクトから遠隔に配置された規定された空間ドメインに対応し、前記変調されたスロットが、前記オブジェクトからの電界を検出するために、超高周波よりも高い周波数で電磁エネルギーを受信してそれに応答し、前記変調されたスロットがそれぞれ、その共振周波数を選択的に変化させて前記変調されたスロットを変調するために、それを横切って接続された能動素子を有し、かつ、前記共振周波数の関数として、前記変調されたスロットの対応する位置で検出された前記電界を表す出力信号を提供する、複数の変調されたスロットと、
前記複数の位置で検出された前記電界を表す前記出力信号を受信するための前記変調されたスロットに動作可能に接続された受信器と、
前記変調されたスロットからの前記受信された出力信号に基づいて、前記規定された空間ドメイン内の前記オブジェクトを表す多次元プロファイルを生成するように構成されたプロセッサと、を備えるイメージングシステム。
【請求項２】
前記能動素子が、対応するスロットに電気的に接続されたＰＩＮダイオードを含み、前記変調されたスロットのそれぞれの前記出力信号が、前記変調されたスロットの前記対応する位置で検出された前記電界の位相および大きさを表す、請求項１に記載されるイメージングシステム。
【請求項３】
前記スロットのそれぞれが、線形に偏光される、請求項１に記載されるイメージングシステム。
【請求項４】
前記スロットが、サブ共振変調スロット、共振変調スロット、広帯域変調スロット、再構成可能な共振変調スロットおよび再構成可能な形状の変調スロットのうち１つまたは複数を含む、請求項１に記載されるイメージングシステム。
【請求項５】
前記受信器が、前記スロットから出力された１つまたは複数の信号を受信するために、そのアパーチャに共振スロットを有する長方形の導波路を含む、請求項１に記載されるイメージングシステム。
【請求項６】
前記導電性表面が、その中に形成された前記スロットを有する導波路を備える、請求項１に記載されるイメージングシステム。
【請求項７】
前記プロセッサにより生成された前記多次元プロファイルのイメージを表示するために、前記プロセッサに動作可能に接続されたディスプレイをさらに備える、請求項１に記載されるイメージングシステム。
【請求項８】
前記センサが、２つの直交する電界成分を測定するために、偏光全体にわたる電気制御を有する二重偏光されたセンサ素子である、請求項１〜７のうちのいずれか１つに記載されるイメージングシステム。
【請求項９】
前記スロットのそれぞれの前記出力信号が、前記センサアレイ内の前記スロットの対応する位置に対応する一意のアイデンティティを有し、前記プロセッサが、前記出力信号のそれぞれの前記一意のアイデンティティに基づいて、前記測定された電界のマップを生成するように構成される、請求項１〜７のうちのいずれか１つに記載されるイメージングシステム。
【請求項１０】
前記導電性表面に形成された前記複数のスロットがセンサアレイを備え、前記センサアレイが、異なる偏光で前記散乱された電界を測定するために調節可能である請求項１に記載されるイメージングシステム。
【請求項１１】
オブジェクトの多次元プロファイルを生成する方法において、前記方法が、
前記オブジェクトを電界で照明するステップであって、前記電界が、超高周波より高い周波数を有する電磁エネルギーを備え、かつ、その電界によって照明された前記オブジェクトによって散乱されるステップと、
複数の位置でセンサアレイを介して、前記散乱された電界をサンプリングするステップであって、前記位置が、前記オブジェクトから遠隔に配置された規定された空間ドメインに対応し、前記アレイが、前記散乱された電界を検出するために、前記位置のそれぞれに変調されたスロットを含み、前記変調されたスロットが、前記スロットを変調するために前記スロットに接続された能動素子を含み、前記変調されたスロットがそれぞれ、前記変調されたスロットの対応する位置で検出された前記電界を表し、前記変調が、その共振周波数を選択的に変化させることによって、前記センサアレイの前記スロットのそれぞれを変調することを含む、出力信号を提供するステップと、
前記変調されたスロットから前記出力信号を受信するステップと、
前記センサアレイの前記変調されたスロットからの前記受信された出力信号に基づいて、前記規定された空間ドメイン内の前記オブジェクトを表す多次元プロファイルを生成するステップと、を含む方法。
【請求項１２】
前記スロットのそれぞれを線形に偏光するステップをさらに備える、請求項１１に記載される方法。
【請求項１３】
異なる偏光で前記散乱された電界を測定するために、前記センサアレイを調節するステップをさらに含む、請求項１１に記載される方法。
【請求項１４】
前記電界をサンプリングするステップが、前記スロットのそれぞれから取得されたサンプルの数を増加させることによってイメージの分解能を高めるために、前記センサアレイを移動させるステップを含む、請求項１１に記載される方法。
【請求項１５】
電気的に接続された能動素子を介して、前記スロットのそれぞれに負荷をかけるステップをさらに含む、請求項１１に記載される方法。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
別々のデジタル著作権管理（ＤＲＭ）システムと、対応するシステムバージョン番号との間の関連付けを含むデータ構造であって、失効情報バージョン番号、および、関連付けに含まれ、前記失効情報バージョン番号に関連付けられているシステム要件に従うＤＲＭシステムバージョン番号を含むデータ構造を生成するステップと、
前記データ構造に署名するステップと、
前記署名されたデータ構造をクライアントコンピューティングデバイスに送信するステップであって、前記データ構造はさらに、前記クライアントコンピューティングデバイスが、少なくとも１つの他のコンピューティングデバイスにクエリを行って前記少なくとも１つの他のコンピューティングデバイスのＤＲＭシステム情報を確認し、少なくとも１つのライセンスおよび前記クライアントコンピューティング上の関連する保護されたコンテンツを、ＤＲＭ要件に従うと判断された前記少なくとも１つの他のコンピューティングデバイスへ転送することを可能にするよう、構成されている、ステップと、
を備えるコンピューター実施の方法。
【請求項２】
前記署名するステップは、信頼されたＤＲＭサービスに関連付けられている秘密キーを使用することにより実行される請求項１に記載の方法。
【請求項３】
前記クライアントコンピューティングデバイスおよび前記少なくとも１つの他のコンピューティングデバイスは、別々のＤＲＭシステムを実行中である請求項１に記載の方法。
【請求項４】
コンピューティングデバイスにおいてデジタル著作権管理（ＤＲＭ）サービスからデータ構造を受信するステップであって、前記データ構造は、失効情報バージョン番号、および、別々のＤＲＭシステムと前記失効情報バージョン番号に関連付けられているシステム要件に従うＤＲＭシステムバージョンを記述している対応するシステムバージョン番号との間の関連付けを含み、前記コンピューティングデバイスは、ＤＲＭシステム情報の確認のためターゲット転送先である少なくとも１つの他のコンピューティングデバイスにクエリを行うよう構成されたＤＲＭエージェントを含む、ステップと、
前記コンピューティングデバイス上の前記ＤＲＭエージェントを利用して前記ターゲット転送先にクエリを行って前記ターゲット転送先の前記ＤＲＭシステムのバージョン番号を確認するステップと、
前記コンピューティングデバイスから前記ターゲット転送先にライセンスを転送するために前記ＤＲＭサービスからの前記データ構造を前記コンピューティングデバイスにより使用するステップと、
を備え、
前記ライセンスを転送するステップは、少なくとも部分的に、前記ターゲット転送先に関連付けられているバージョン番号と前記データ構造の関連付けに含まれるバージョン番号との比較に基づくコンピューター実施の方法。
【請求項５】
前記使用するステップの前に前記ライセンスを転送するよう求める要求を前記コンピューティングデバイスにより受信するステップをさらに備え、前記ライセンスはＤＲＭで保護されたコンテンツに関連付けられている請求項４に記載の方法。
【請求項６】
前記データ構造を受信するステップの後に前記データ構造の信頼性を前記コンピューティングデバイスにより確認するステップをさらに備える請求項４に記載の方法。
【請求項７】
前記データ構造を受信するステップの後に、前記データ構造が受信されたＤＲＭサービスに関連付けられている公開キーを使用して前記データ構造の信頼性を前記コンピューティングデバイスにより確認するステップをさらに備える請求項４に記載の方法。
【請求項８】
前記コンピューティングデバイスは第１のＤＲＭシステムを実行中であり、前記ターゲット転送先は第２の異なるＤＲＭシステムを実行中である請求項４に記載の方法。
【請求項９】
前記受信するステップの後に前記データ構造の信頼性を前記コンピューティングデバイスにより確認するステップと、
前記ライセンスを転送するよう求める要求を前記コンピューティングデバイスにより受信するステップであって、前記ライセンスはＤＲＭで保護されたコンテンツに関連付けられているステップと、
をさらに備える請求項４に記載の方法。
【請求項１０】
前記受信するステップの後に前記データ構造の信頼性を前記コンピューティングデバイスにより確認するステップと、
前記ライセンスを転送するよう求める要求を前記コンピューティングデバイスにより受信するステップであって、前記ライセンスはＤＲＭで保護されたコンテンツに関連付けられているステップと、
をさらに備える請求項７に記載の方法。
【請求項１１】
前記コンピューティングデバイスは第１のＤＲＭシステムを実行中であり、前記ターゲット転送先は第２の異なるＤＲＭシステムを実行中であり、前記ターゲット転送先の前記ライセンスは前記第２の異なるＤＲＭシステムのバージョン番号を含む請求項１０に記載の方法。
【請求項１２】
別々のデジタル著作権管理（ＤＲＭ）システムを実行中の複数のシステム間でライセンスが転送されるようにすることができるデータを含むデータ構造を具現する１つまたは複数のコンピューター可読記憶域メディアであって、
前記データ構造のデータは、
失効情報バージョン番号と、
第１のＤＲＭシステムと第１の対応するシステムバージョン番号との間の第１の関連付けと、
少なくとも第２のＤＲＭシステムと第２の対応するシステムバージョン番号との間の第２の関連付けと、を備え、
ＤＲＭシステムの関連付けに記述されたシステムバージョン番号は、前記失効情報バージョン番号に関連付けられているシステム要件に従うシステムバージョンを示し、
前記データ構造は、第１のコンピューティングデバイスが、少なくとも１つの他のコンピューティングデバイスにクエリを行って前記少なくとも１つの他のコンピューティングデバイスのＤＲＭシステム情報を確認し、少なくとも１つのライセンスおよび前記第１のコンピューティング上の関連する保護されたコンテンツを、ＤＲＭ要件に従うと判断された前記少なくとも１つの他のコンピューティングデバイスへ転送することを可能にするよう、構成されている、
１つまたは複数のコンピューター可読記憶域メディア。
【請求項１３】
前記データ構造は署名データ構造を備える請求項１２に記載の１つまたは複数のコンピューター可読記憶域メディア。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
センサの感知面に感知される指の指紋に関連する情報を出力するように適合される指紋センサと、
窪み／空洞または貫通孔を備える剛性要素と、
を備え、前記センサは、前記感知面が周囲にさらされるように、前記窪み／空洞／貫通孔に配置され、前記剛性要素は、前記センサの前記感知面に隣接して配置され、かつ前記センサに接触する指によっても接触されるように適合される１つ以上の導電性表面部分をさらに備える、指紋読取装置。
【請求項２】
前記剛性要素は、１つ以上の第１の導電体を備え、
前記センサは、前記出力情報を伝達するように適合される１つ以上の第２の導電体を備え、前記第２の導体の各々は、第１の導体に接続される、
請求項１に記載の読取装置。
【請求項３】
前記伝導性表面部分に信号を与えるための手段をさらに備え、前記センサは、前記表面部分に与えられる前記信号に基づいて、前記出力情報を出力するように適合される、請求項１または２に記載の読取装置。
【請求項４】
前記剛性要素は０．２ｍｍ以上の厚さを有する、請求項１ないし３のいずれか一項に記載の読取装置。
【請求項５】
身分情報を備える処理要素をさらに備え、前記処理要素は、
前記センサから前記出力情報を受信し、
前記受信した情報を前記身分情報と比較し、
前記受信した情報と前記身分情報との間の対応を判断する、
ように適合される、請求項１ないし４のいずれか一項に記載の読取装置。
【請求項６】
請求項１ないし５のいずれか一項に記載の指紋センサを備えるクレジットカードサイズのカード。
【請求項７】
前記センサから前記出力情報を受信するように適合される処理要素をさらに備え、前記剛性要素は、各々が前記処理要素に接続される１つ以上の導電性表面部分をさらに備える、請求項６に記載のカード。
【請求項８】
請求項１ないし５のいずれか一項に記載の指紋読取装置または請求項６もしくは７に記載のカードの動作方法であって、
前記センサの感知面によって指を感知することと、
対応する出力情報を前記センサが出力することと、
を含む、方法。
【請求項９】
前記剛性要素は、１つ以上の第１の導電体を備え、前記方法は、前記出力情報を前記第１の導電体に伝導することを含む、請求項８に記載の方法。
【請求項１０】
前記感知するステップは、前記指を前記センサの前記感知面に隣接して配置される前記剛性要素の１つ以上の導電性表面部分に付加的に接触させることを含む、請求項８または９に記載の方法。
【請求項１１】
前記出力するステップは、前記伝導性表面部分に信号を与えることと、前記表面部分に与えられる前記信号に基づいて前記出力情報を出力することとを含む、請求項１０に記載の方法。
【請求項１２】
前記出力情報を、所定の身分情報と比較するステップと、
前記受信した情報と前記身分情報との間の対応を判断するステップと、
をさらに含む、請求項８ないし１１のいずれか一項に記載の方法。